(57)【要約】      （修正有）【課題】詰物を適宜選択して詰め込んだ袋体を重ねて使用する掛け布団において、重ね合わされた布団の袋体が互いにずれを生じ、或いは空隙が生じ保持した保温空気を逸脱させるような事がない掛寝具を得る。【解決手段】重ね合わせた２枚の側地６，７の間に襠布８ａを設け、２枚の側地間に小区画を複数配し、小区画内に羽毛を充填してなる羽毛布団と、羽毛布団の一面の側地と、重ね合わせた２枚の側地と３枚の側地を襠布と当接しない位置で環状にキルトし、キルトされた３枚の側地の内羽毛布団と、他の重ね合わせた２枚の側地１１，１２との間にシルク綿を封入し、４枚の側地の外周縁をダブルステッチで縫合してなる。【選択図】図１
0003138780.tif 000002
【実用新案登録請求の範囲】
【請求項１】
重ね合わせた２枚の側地の間に複数の襠布を交差して設け、２枚の側地間に小区画を複数配し、前記小区画内に羽毛を充填してなる第１の布団と、前記第１の布団の一面にシルク綿を重ねシルク綿を側地で被い、第１の布団のシルク綿側の側地とシルク綿とシルク綿を被う側地とを通して、前記第１の布団の襠布と当接しない位置で環状にキルトして第２の布団とし、前記第１，第２の布団の側地の外周縁をダブルステッチで縫合してなる２層掛け布団。
【請求項２】
環状のキルトは円を二重に画いたものとしたことを特徴とする請求項１記載の２層掛け布団。
【考案の詳細な説明】
【技術分野】
【０００１】
本考案は、詰物を封入した側地よりなる袋体がずれを生ずることなく、重ねられている２層掛け布団に係る。
【背景技術】
【０００２】
掛布団は就寝時身体を被い保温断熱の作用を発揮しているが、重量のあるものは寝苦しく、また軽量のものでは就寝中に移動し易く、寝具を剥いでしまうという事にもなる。そのため詰物の種類を変えた、例えば、図５に示す如く羊毛綿５１を入れた側地袋体５２と木綿綿５３を入れた側地袋体５４を適宜重ねて周縁部分５５で一体に固定して、好ましい保温性重量感を得ようとするもの（特許文献１，２参照）などが知られている。
【０００３】
然し、これらの寝具は重ね合わせた布団の周縁部分５５のみで一体となっているために、中央部分では重なり合っている側地同志は、自在に移動し、弛緩状態となり或いはよじれを生ずるような事になり、該部において暖められている空気を確保し保持する作用が見られなくなる事も生じている。
【特許文献１】実開平１−１２６１６７号公報
【特許文献２】実開昭４９−１１３９１７号公報
【考案の開示】
【考案が解決しようとする課題】
【０００４】
本考案は上記の点に鑑みて、詰物を適宜選択して詰め込んだ袋体を重ねて使用する掛け布団において、重ね合わされた布団の袋体が互いにずれを生じ、或いは空隙が生じ保持した保温空気を逸散させるような事がない掛寝具を得ることを目的としている。
【課題を解決するための手段】
【０００５】
本考案２層掛け布団は、重ね合わせた２枚の側地の間に複数の襠布を交差して設け、２枚の側地間に小区画を複数配し、前記小区画内に羽毛を充填してなる第１の布団と、前記第１の布団の一面にシルク綿を重ねシルク綿を側地で被い、第１の布団のシルク綿側の側地とシルク綿とシルク綿を被う側地とを通して、前記第１の布団の襠布と当接しない位置で環状にキルトして第２の布団とし、前記第１，第２の布団の側地の外周縁をダブルステッチで縫合してなる。
【考案の効果】
【０００６】
本考案２層掛け布団は、重ね合わせた２枚の側地の間に複数の襠布を交差して設け、２枚の側地間に小区画を複数配し、前記小区画内に羽毛を充填してなる第１の布団と、前記第１の布団の一面にシルク綿を重ねシルク綿を側地で被い、第１の布団のシルク綿側の側地とシルク綿とシルク綿を被う側地とを通して、前記第１の布団の襠布と当接しない位置で環状にキルトして第２の布団とし、前記第１，第２の布団の側地の外周縁をダブルステッチで縫合してなるために、羽毛を封入した羽毛布団部分とシルク綿を綴じ込んだシルク綿布団部分との間にずれの生じることがなく、両布団間にだぶつき感が生じることもなく、布団が保持する寝床内の暖気を逸脱させることはない。
また、前記キルトは環状に施されているために通常の直線や波縫いより縫製が丈夫であり、かつ、審美感を得ることも出来る。然も、綿をキルトで押さえる箇所が少ないため綿の感触をより体感することが出来る。
また、羽毛を封入した第１の布団部分とシルク綿を封入した第２の布団部分とが両布団共通の側地で一体に構成されることにより、羽毛布団とシルク綿布団との異なる感触をリバーシブルで体得することが出来る。
【考案を実施するための最良の形態】
【０００７】
本考案の２層掛け布団を図面と共に次に説明する。
図１は、本考案２層布団を構成する側地を示す概念図、図２は本考案２層布団の縦断面図、図３はリングキルトの配置図、図４は布団周縁部分の拡大断面図、図５は従来の２層布団の縦断面図である。
【０００８】
本考案２層布団１は羽毛或いは羽毛状に化合繊糸を膨化した塊状に屈折してなる羽毛状詰物２（以下羽毛と言う）を充填してなる第１の布団３とシルク綿，羊毛綿，化合繊綿，パンヤ等（以下シルク綿４と言う）を充填してなる第２の布団５とを一体に重ねてなるもので、その詳細を次に説明する。
【０００９】
羽毛２を充填する第１の布団３は側地６と側地７を有し、側地６の下面に適宜幅の帯状の襠布８を複数本交差させて縫着し襠布８により小区画室９ａを構成する。そして、側地７の上面には適宜幅の帯状の襠布１０を複数本交差させて縫着し襠布１０により小区画室９ｂを構成する。上記側地６の下面に作られる小区画室９ａと側地７の上面に作られる小区画室９ｂとは、襠布８，１０の配置を全く同じにしているために、側地６と側地７とを重ねたときに襠布８と襠布１０とは同位置となるので、襠布８の下端縁８ａと襠布１０の上端縁１０ａとを縫着することで２つの小区画室９ａと９ｂとが連続して１つの区画室９を構成する。
【００１０】
各区画室９には羽毛２を封入するが、封入手段として例えば区画室９を構成した縦襠布８、１０を二重にし（図示せず）各区画室９ごとに縦襠布８、１０に切れ目（図示せず）を入れ、二重の縦襠布８、１０の間に挿入した公知の羽毛導入管を前記切れ目から区画室９内に挿し込み羽毛を送り込むようにする等羽毛２の送り込み手段は適宜採用出来る。
【００１１】
前記第１の布団３の区画室９の縫製前に、第１の布団の側地７と、第１の布団と共通に使用する第２の布団５の詰物であるシルク綿４と、側地１１と重ねた状態でリングキルト１３を施している。
前記襠布８の下端縁８ａと襠布１０の上端縁１０ａとの縫合前に、襠布１０を側地７に縫着した後に、側地７と側地１１との間にシルク綿４を入れ四方をステッチしてシルク綿４を側地７，１１に固定する。
次に側地１２を加えて側地７，１１，１２を同時にリングキルト１３を施し仕上げる。リングキルト１３は、側地７に縫着されている襠布１０に掛からない位置に二重の環状を画いて施すのが審美感を高める上で好ましい。次に小区画室９ａ，９ｂを突き合わせ区画室９を構成するよう小区画室９ａ，９ｂを構成する襠布８の下端縁８ａと襠布１０の上端縁１０ａを縫着し、側地６，７，１１，１２の周縁を図４に示す如く折り曲げダブルステッチ加工１４すると共に、最後に前記の如く羽毛挿入パイプにより区画室９に羽毛を挿入し、区画室９を綴じて仕上げる。
【００１２】
上記構成によって本考案枕１は、側地６，７と襠布８，１０からなり羽毛或いはそれに類似する詰物を詰めた第１の布団３と、側地７，１１，１２にシルク綿４を詰めた第２の布団５とからなる２層布団を構成するが、第１の布団３と第２の布団５とが側地７を共有することになり、その結果第１の布団３と第２の布団５とは完全に一体化され、使用中に第１，第２の布団間に空隙が出来、或るいは内部に保有されている暖気が逸散するような事態が発生することもなく、また布団によじれが生じたりすることもなく使用することが可能となった。
【産業上の利用可能性】
【００１３】
本考案布団にあっては、２枚の側地の間に襠布によって区画された小室に羽毛或いは羽毛様の詰物を配した袋体と、シルク綿の如きウエブ状の詰物を内在させた側地よりなる袋体とを重ね合わせ、重なり合った側地は共通の１枚としているために、内容の異なる２種の詰物を有する袋体を一体に構成出来リバーシブルで使用出来るので、布団のみでなくクッショク，マットレス等にも利用出来る。
【図面の簡単な説明】
【００１４】
【図１】本考案２層布団を構成する側地を示す分解図。
【図２】本考案２層布団の縦断面図。
【図３】リングキルトの配置図。
【図４】布団周縁部分の拡大断面図。
【図５】従来の２枚重ね布団の縦断面図。
【符号の説明】
【００１５】
１  ２層布団
２  羽毛
３  第１の布団
４  シルク綿
５  第２の布団
６，７，１１，１２  側地
８，１０  襠布
８ａ  襠布８の下端縁
９  区画室
９ａ，９ｂ  小区画室
１０ａ  襠布１０の上端縁
１３  リングキルト
１４  ダブルステッチ加工
【図１】
0003138780.tif 000003
【図２】
0003138780.tif 000004
【図３】
0003138780.tif 000005
【図４】
0003138780.tif 000006
【図５】
0003138780.tif 000007